(57)【特許請求の範囲】
【請求項１】
画像を担持した記録材を加熱処理する画像加熱装置を有する画像処理装置であって、
送風手段と、
前記送風手段から前記画像加熱装置へ送風する第１の通気経路と、
前記画像加熱装置から出た記録材へ前記送風手段から送風する第２の通気経路と、
前記送風手段から、前記第１の通気経路と前記第２の通気経路までの通気経路を切り換える弁と、
を有し、前記弁はソレノイドアクチュエータとばねにより動かされ、前記ソレノイドアクチュエータへの通電により前記ばねの弾性力に抗して前記弁が前記第１の通気経路への送風可能状態から前記第２の通気経路への送風可能状態へと変化してその後に前記ソレノイドアクチュエータへの通電が止められても、前記送風手段による風圧で前記第２の通気経路が確保された状態が維持され、前記ソレノイドアクチュエータへの通電がなく、前記送風手段による風圧で前記弁が前記第２の通気経路を確保している状態から前記送風手段による送風が止められると、前記弁が前記第２の通気経路への送風可能状態から前記第１の通気経路への送風可能状態へと変化することを特徴とする画像処理装置。
【請求項２】
前記送風手段は前記第１の通気経路よりも高い位置に配置されていることを特徴とする請求項１に記載の画像処理装置。
【請求項３】
画像処理装置の外への開口部と、前記送風手段から前記開口部へ連通する第３の通気経路と、を有し、前記開口部の、画像処理装置の内部における配置位置は、前記第１の通気経路および前記第３の通気経路と同じ高さの位置か、前記第１の通気経路および前記第３の通気経路よりも高い位置であることを特徴とする請求項１または請求項２に記載の画像処理装置。
【請求項４】
前記弁の位置を検知する検知手段を有することを特徴とする請求項１から請求項３の何れか一項に記載の画像処理装置。
【請求項５】
前記弁の位置を検知する検知手段を有し、前記弁が前記第２の通気経路への送風可能状態から前記第１の通気経路への送風可能状態へと切り換えられる際、前記送風手段による送風の停止命令を出し、前記ばねの付勢力により前記弁が前記第１の通気経路への送風可能状態に切り換わったことを前記検知手段で確認後、前記送風手段による送風の開始命令を出して前記第１の通気経路に対する送風を開始する制御モードを有することを特徴とする請求項１から請求項３の何れか一項に記載の画像処理装置。
【請求項６】
前記弁の位置を検知する検知手段を有し、前記検知手段は、前記弁が前記第１の通気経路への送風可能状態となる第１の切り換え位置と、前記第２の通気経路への送風可能状態となる第２の切り換え位置と、前記第１の切り換え位置と前記第２の切り換え位置との間の途中の位置で前記弁が風圧により前記ばねの付勢力がアシストされる第３の切り換え位置と、の３つの弁位置を検出可能であり、前記弁が前記第２の通気経路への送風可能状態から前記第１の通気経路への送風可能状態へと切り換えられる際、前記送風手段による送風の停止命令を出し、前記ばねの付勢力により前記弁が前記第３の切り換え位置にあることを前記検知手段で確認後、前記送風手段による送風の開始命令を出して前記第１の通気経路に対する送風を開始する制御モードを有することを特徴とする請求項１から請求項３の何れか一項に記載の画像処理装置。
【発明の詳細な説明】
【技術分野】
【０００１】
本発明は、画像を担持した記録材を加熱処理する画像加熱装置を有する画像処理装置に関する。
【０００２】
画像処理装置としては、電子写真プロセスなどを利用して記録材に未定着の画像を形成する画像形成手段と、記録材に形成された前記画像を加熱定着する画像加熱装置と、を有する、複写機、プリンタ、ファクシミリ等の加熱定着方式の画像形成装置が挙げられる。また、既に加熱定着されている画像を担持した記録材を画像加熱装置に導入して画像の光沢度などの表面性を改質する画像改質装置などが挙げられる。
【背景技術】
【０００３】
加熱定着方式の画像形成装置においては、さまざまな種類の記録材に対する印刷品質を確保すべく、記録材の坪量に応じて定着ローラの温度を変えることが一般的に行われている。特許文献１では、定着ローラの温度を下げる技術、例えばエアーブロアを設けた定着装置が開示されている。
【０００４】
また、加熱定着方式の画像形成装置においては、定着後のトナー（現像剤、顕画剤）が十分に冷却されないうちに印刷物を積載した結果、印刷物同士が貼りついてしまうトラブルを防止すべく、定着後の印刷物を冷却することが一般的に行われている。特許文献２では、クロスフローファンを用いて冷却する技術が開示されている。
【先行技術文献】
【特許文献】
【０００５】
【特許文献１】特開２００６−２２７３７４
【特許文献２】特開２００１−２５５８０７
【発明の概要】
【発明が解決しようとする課題】
【０００６】
しかしながら、熱定着装置と定着後の印刷物とをそれぞれ別の冷却手段で冷却すると、複数の冷却手段が必要になる分、装置が大型化する問題点があった。
【０００７】
本発明の目的は、送風手段（ファン等）から被冷却物への送風経路を切り換えることで、１つの送風手段からでも複数の被冷却物を冷却できるようにし、装置の小型化を実現することである。
【課題を解決するための手段】
【０００８】
上記の目的を達成するための本発明に係る画像処理装置の代表的な構成は、画像を担持した記録材を加熱処理する画像加熱装置を有する画像処理装置であって、送風手段と、前記送風手段から前記画像加熱装置へ送風する第１の通気経路と、前記画像加熱装置から出た記録材へ前記送風手段から送風する第２の通気経路と、前記送風手段から、前記第１の通気経路と前記第２の通気経路までの通気経路を切り換える弁と、を有し、前記弁はソレノイドアクチュエータとばねにより動かされ、前記ソレノイドアクチュエータへの通電により前記ばねの弾性力に抗して前記弁が前記第１の通気経路への送風可能状態から前記第２の通気経路への送風可能状態へと変化してその後に前記ソレノイドアクチュエータへの通電が止められても、前記送風手段による風圧で前記第２の通気経路が確保された状態が維持され、前記ソレノイドアクチュエータへの通電がなく、前記送風手段による風圧で前記弁が前記第２の通気経路を確保している状態から前記送風手段による送風が止められると、前記弁が前記第２の通気経路への送風可能状態から前記第１の通気経路への送風可能状態へと変化することを特徴とする。
【発明の効果】
【０００９】
本発明によれば、１つの送風手段からでも、画像加熱装置と画像加熱後の記録材とを冷却できるようになり、その結果、画像処理装置を小型化することができる。
【図面の簡単な説明】
【００１０】
【図１】（ａ）は実施例１における画像形成装置の縦断正面模式図、（ｂ）は（ａ）の一部分の拡大模式図である。
【図２】冷却装置を説明するための図である。
【図３】弁の動作機構を説明するための図である。
【図４】制御系統のブロック図である。
【図５】冷却装置の動作制御フローチャートである。
【図６】実施例２における冷却装置を説明するための図である。
【図７】実施例３における冷却装置と定着器の接続状態を示した鳥瞰図であり、（ａ）は定着器の側から見た図、（ｂ）は冷却装置の側から見た図である。
【図８】冷却装置を示す図であり、（ａ）は定着器側通気経路（第１の通気経路）の送風出口側を見た図、（ｂ）は記録材側通気経路（第２の通気経路）の送風出口側を見た図、（ｃ）は左側面図、（ｄ）は正面図である。
【図９】弁切替機構の動作を示す図であり、（ａ）、（ｂ）、（ｃ）、（ｇ）は弁が第１の切り換え位置に位置している状態時の、背面図、左側面図、正面図、斜視図である。（ｄ）、（ｅ）、（ｆ）、（ｈ）は弁が第２の切り換え位置に位置している状態時の、背面図、左側面図、正面図、斜視図である。
【図１０】弁が第１の切り換え位置に位置している状態時の図である。
【図１１】弁が第２の切り換え位置に位置している状態時の図である。
【図１２】記録材が冷却されている状態時の図である。
【図１３】定着器が冷却されている状態時の図である。
【図１４】定着器から放出される余分な熱が定着器側通気経路を通ってファンから冷却装置の外に放出される様子を示している図である。
【図１５】制御系統のブロック図である。
【図１６Ａ】冷却装置の動作制御フローチャート（その１）である。
【図１６Ｂ】冷却装置の動作制御フローチャート（その１）である。
【図１７】冷却装置の動作制御フローチャート（その３）である。
【図１８】実施例４の冷却装置に関する弁の第３の切り換え位置と位置検知の説明図である。
【図１９】弁が第３の切り換え位置に位置している状態時の図である。
【図２０】弁位置検知センサの出力波形図である。
【図２１】冷却装置の動作制御フローチャートである。
【発明を実施するための形態】
【００１１】
以下、本発明に係る画像処理装置としての画像形成装置を図面に則してさらに詳しく説明する。尚、画像形成装置の構成部品の寸法、材質、形状、およびその相対位置等は、特に特定的な記載がない限りは、この発明の範囲をそれらのみに限定する趣旨のものではない。
【００１２】
［実施例１］
（１）画像形成装置例の概略構成
図１の（ａ）は本実施例における画像処理装置としての画像形成装置１００の縦断正面模式図、（ｂ）は（ａ）の一部分の拡大模式図である。
【００１３】
ここで、本実施例の画像形成装置１００において、正面側(前側)とは使用者が正対する側である。背面側（奥側）とはその反対面側である。前方向とは背面側から正面側に向う方向、後方向とは正面側から背面側に向う方向である。左右とは画像形成装置を正面側から見て左または右である。左方向とは右側から左側に向う方向、右方向とは左側から右側に向う方向である。上下とは重力方向において上または下である。上方向とは下側から上側に向う方向、下方向とは上側から下側に向う方向である。
【００１４】
この画像形成装置１００はインライン方式・中間転写方式の４色フルカラー電子写真カラープリンタである。この画像形成装置１００は、制御回路（コントローラ）２００に接続される外部ホスト装置３００から入力する電気的画像データに対応したフルカラー画像あるいはモノカラー画像をシート状の記録材Ｐに形成して画像形成物（印刷物）を出力することができる。
【００１５】
制御回路２００は画像形成装置１００の動作を統括的に制御する制御手段であり、外部ホスト装置３００や画像形成装置操作部（不図示）と各種の電気的情報信号の授受をする。また、各種のプロセス機器やセンサなどから入力する電気的情報信号の処理、各種のプロセス機器への指令信号の処理、所定のイニシャルシーケンス制御、所定の作像シーケンス制御を司る。外部ホスト装置３００は、パーソナルコンピュータ、ネットワーク、イメージリーダ、ファクシミリなどである。
【００１６】
画像形成装置１００の装置本体１００Ａの内部には、図１の（ａ）において、図面上、左側から右側に第１乃至第４の４つの画像形成ステーション（画像形成部）Ｓ（ＳＹ、ＳＭ、ＳＣ、ＳＢｋ）がほぼ水平方向に並設されている。各ステーションＳはそれぞれの現像装置（現像器）に収容した現像剤（顕画剤）のトナーの色（トナーの種類:分光特性）がイエロー（Ｙ）、マゼンタ（Ｍ）、シアン（Ｃ）、ブラック（Ｂｋ）と異なるだけで、機構構成は互いに同じ電子写真画像形成機構である。（ｂ）は（ａ）における４つのステーションのうちの一つのステーションＳの拡大模式図である。
【００１７】
各ステーションＳは、それぞれ、像担持体としてのドラム型の電子写真感光体（以下、ドラムと記す）Ｄを有する。また、このドラムＤに作用するプロセス手段としての、一次帯電装置１０、レーザスキャナ（露光装置）ＬＳ、現像装置２０、一次転写部材としての一次転写ローラ３０、クリーニングブレードを備える清掃装置４０等を有する。本実施例において一次帯電装置１０はコロナ帯電器であるが、他のタイプの帯電器であってもよい。
【００１８】
各ステーションＳにおいてドラムＤは装置本体１００Ａ内において軸線方向（回転軸線方向）の一端側を前側とし、他端側を奥側にしてほぼ水平に配設されている。このドラムＤに作用するプロセス手段としての一次帯電装置１０、現像装置２０、一次転写ローラ３０、清掃装置４０等はドラムＤに対して平行に配設されており、ドラムＤの軸線方向に沿う方向（前後方向）が長手方向である。
【００１９】
各ステーションＳのドラムＤはそれぞれ矢印の反時計方向に所定の速度で回転駆動される。そして、第１のステーションＳＹのドラムＤには形成するフルカラー画像のＹ色成分像に対応するＹ色トナー画像が形成される。第２のステーションＳＭのドラムＤにはＭ色成分像に対応するＭ色トナー画像が形成される。第３のステーションＳＣのドラムＤにはＣ色成分像に対応するＣ色トナー画像が形成される。第４のステーションＳＢｋのドラムＤにはＢｋ色成分像に対応するＢｋ色トナー画像が形成される。
【００２０】
各ステーションＳのドラムＤに対するトナー画像の電子写真画像形成プロセス・原理は公知に属するからその説明は省略する。
【００２１】
各ステーションＳの下側には中間転写ベルトユニット３１が配設されている。このユニット３１は、中間転写体としての可撓性を有する無端状の中間転写ベルトＩＴＢを有する。ベルトＩＴＢは、駆動ローラ３２と、テンションローラ３３と、二次転写内ローラ３４と、の３本のローラ間に懸回張設されている。ベルトＩＴＢは駆動ローラ３２が駆動されることで矢印の時計方向にドラムＤの回転速度に対応した速度で循環移動される。
【００２２】
二次転写内ローラ３４にはベルトＩＴＢを介して二次転写外ローラ３５が所定の押圧力で当接している。ベルトＩＴＢと二次転写外ローラ３５との当接部が二次転写部ＳＴである。各ステーションＳの一次転写ローラ３０はベルトＩＴＢの内側に配設されていて、それぞれ、ベルトＩＴＢを介してドラムＤの下面に当接している。各ステーションＳにおいてドラムＤとベルトＩＴＢとの当接部が一次転写部である。一次転写ローラ３０には所定の制御タイミングで所定の一次転写バイアスが印加される。
【００２３】
各ステーションＳのドラムＤにそれぞれ形成されたＹ色トナー、Ｍ色トナー、Ｃ色トナー、Ｂｋ色トナーが循環移動するベルトＩＴＢの表面に各一次転写部において順次に重畳されて一次転写される。これにより、ベルトＩＴＢ上にＹ色、Ｍ色、Ｃ色、Ｂｋ色４色重ね合わせの未定着のフルカラートナー画像が合成形成されて二次転写部ＳＴへ搬送される。
【００２４】
一方、装置本体１００Ａ内の下部に配設されている給紙カセットＣに積載収容されている記録材Ｐが所定の制御タイミングにて一枚分離給送される。その記録材Ｐがシートパスａ、レジストローラ対３６、シートパスｂを通って所定の制御タイミングにて二次転写部ＳＴに導入されて二次転写部で挟持搬送される。二次転写外ローラ３５には所定の二次転写バイアスが印加される。これにより、記録材Ｐに対してベルトＩＴＢ側のフルカラートナー画像が一括して順次に二次転写される。即ち、記録材Ｐに未定着の画像が形成される。
【００２５】
二次転写部ＳＴを出た記録材ＰはベルトＩＴＢの面から分離されて、熱定着装置（以下、定着器と記す）Ｆに導入される。本実施例において定着器Ｆはヒートローラ式の画像加熱装置（画像を担持した記録材を加熱処理する画像加熱装置）であり、記録材Ｐはこの定着器Ｆのヒートローラと加圧ローラとのローラ対で挟持搬送されて加熱・加圧される。これにより、未定着のトナー画像が記録材面に加熱溶融されて固着画像として定着される。定着器Ｆを出た記録材Ｐは後述する冷却装置ＣＳにより冷却されてシートパスｃ、排出口３７を通ってフルカラー画像形成物として機外の排紙トレイ３８に排出される。
【００２６】
各ステーションＳにおいてベルトＩＴＢに対するトナー画像の一次転写後にドラムＤの面に残ったトナーは清掃装置４０でドラム面から除去され、ドラムＤは繰り返して画像形成に供される。また、記録材Ｐに対するトナー画像の二次転写後にベルトＩＴＢの面に残ったトナーはベルト清掃装置３９でベルト面から除去され、ベルトＩＴＢは繰り返して画像形成に供される。
【００２７】
両面画像形成モードの場合には、定着器Ｆを出た第１面画像形成済みの記録材Ｐはシートパスｄ側に進路変更され、スイッチバックパスｅによりスイッチバック搬送されて再搬送シートパスｆに入る。そして、再び、シートパスａ、レジストローラ対３６、シートパスｂを通って所定の制御タイミングにて二次転写部ＳＴに導入される。これにより、表裏反転された記録材Ｐの第２面に対する画像転写がなされる。
【００２８】
以後は、第１面に対する画像形成の場合と同様に、記録材Ｐは定着器Ｆに導入される。そして、定着器Ｆを出た記録材Ｐは後述する冷却装置ＣＳにより冷却されてシートパスｃ、排出口３７を通って両面画像形成物として機外の排紙トレイ３８に排出される。
【００２９】
（２）冷却装置ＣＳ
本実施例の画像形成装置１００においては、図１の（ａ）のように、記録材排出側である装置左側面側に、定着器Ｆと、定着器Ｆから出た画像定着直後の記録材Ｐとを冷却するための冷却装置ＣＳが配設されている。
【００３０】
図２の（ａ）は冷却装置ＣＳの左側面図、（ｂ）は正面図である。（ｃ）と（ｄ）は（ａ）のＡ−Ａ矢視の断面図であり、（ｃ）は弁５２が第１の切り換え位置に位置している状態時、（ｄ）は弁５２が第２の切り換え位置に位置している状態時を示している。
【００３１】
本実施例の冷却装置ＣＳは、ファン（送風手段）５０、ダクト（通風路）５１、弁５２、ソレノイド５３、アーム５４、引っ張りばね５５、などから構成されている。ファン５０は駆動されることでダクト５１内に送風する。ダクト５１は内部に隔壁により区画されている定着器側通気経路（第１の通気経路）５１１と記録材側通気経路（第２の通気経路）５１２とを備えている。
【００３２】
定着器側通気経路５１１はファン５０から定着器Ｆまで連通した通気経路を形成しており、ファン５０から定着器Ｆへ送風する。記録材側通気経路５１２はファン５０から定着器Ｆを出た定着後（定着直後）の記録材Ｐまで連通した通気経路を形成しており、定着器Ｆを出た記録材Ｐへ送風する。
【００３３】
弁５２はダクト５１の内部においてファン５０寄りに配設されており、弁中心５２Ｃを中心に回動可能（可動）である。弁５２は回動されることで、ファン５０から、定着器側通気経路５１１と記録材側通気経路５１２までの通気経路を切り換える。
【００３４】
弁５２はアクチュエータとしてのソレノイド（ソレノイドアクチュエータ）５３により動かされる。より詳しくは、弁５２はアーム５４を介して弁操作軸５２Ｓ部で弁５２と連結されており、アーム５４はアーム中心５４Ｃを中心に回動可能である。引っ張りばね５５は一端がアーム５４に懸架されており、他端がダクト５１に懸架されている。
【００３５】
図３によりダクト５１内における弁５２の動作を説明する。図３は、弁５２、ソレノイド５３、アーム５４、引っ張りばね５５を示した図である。（ａ）、（ｂ）、（ｃ）は弁５２が第１の切り換え位置に位置している状態時の、背面図、左側面図、正面図である。（ｄ）、（ｅ）、（ｆ）は弁５２が第２の切り換え位置に位置している状態時の、背面図、左側面図、正面図である。
【００３６】
１）ソレノイド５３に対する通電がＯＦＦ（無通電）の時は図３の（ａ）、（ｂ）、（ｃ）に示すようにソレノイド５３のプランジャー５３Ｐには自重で落ちる力が働いている。更に、引っ張りばね５５による引っぱり力（弾力性）により、アーム５４にはアーム中心５４Ｃを中心に（ｃ）の正面から見て反時計回りに回動する力が働く。この時、弁操作軸５２Ｓにもアーム中心５４Ｃを中心に正面から見て反時計回りに力が働く。
【００３７】
その結果、弁５２には、弁中心５２Ｃを中心に（ｃ）の正面から見て反時計回りに回動する力が働き、弁５２がその回動側のストッパー（不図示）に突きあたって静止した状態になる。この弁５２の位置が第１の切り換え位置である。弁５２がこの第１の切り換え位置にシフトされている時、図２の（ｃ）に示すように、定着器側通気経路５１１はファン５０から定着器Ｆまで連通した通気経路を確保した状態になっている。即ち、弁５２は定着器側通気経路５１１への送風可能状態となっている。一方、記録材側通気経路５１２はファン５０から定着後の記録材まで連通していない状態になっている。
【００３８】
２）一方、ソレノイド５３に対する通電がＯＮの時は図３の（ｄ）、（ｅ）、（ｆ）に示すようにソレノイド５３のプランジャー５３Ｐには、自重や、引っ張りばね５５による力に打ち勝って、即ちばね５５の弾性力に抗して、引き上げられる力が働いている。アーム５４にはアーム中心５４Ｃを中心に（ｆ）の正面から見て時計回りに回動する力が働く。この時、弁操作軸５２Ｓにもアーム中心５４Ｃを中心に正面から見て時計回りに力が働く。
【００３９】
その結果、弁５２には、弁中心５２Ｃを中心に（ｆ）の正面から見て時計回りに回動する力が働き、弁５２がその回動側のストッパー（不図示）に突きあたって静止した状態になる。この弁５２の位置が第２の切り換え位置である。弁５２がこの第２の切り換え位置にシフトされている時、図２の（ｄ）に示すように、記録材側通気経路５１２はファン５０から定着後の記録材まで連通した通気経路を確保した状態になっている。即ち、弁５２は記録材側通気経路５１２への送風可能状態となっている。一方、定着器側通気経路５１１はファン５０から定着器Ｆまで連通していない状態になっている。
【００４０】
図４は本実施例の画像形成装置１００と制御回路２００の接続関係を説明するためのブロック図である。画像形成装置（プリンタ部）１００には、定着器温度を検知する検知手段としての定着器温度センサＴＨと、前述のソレノイド５３と、ファン５０とを備える。定着器温度センサＴＨの検知結果は制御手段としての制御回路２００へ通知される。制御回路２００の内部には中央演算回路２０１（以下、ＣＰＵ）と、メモリ２０２を備える。
【００４１】
ＣＰＵ２０１はメモリ２０２に格納されたプログラムに従い、定着器温度センサＴＨからの出力に基づき、ソレノイド５３、ファン５０を制御する。尚、ＣＰＵ２０１はメモリ２０２に制御時間を記録させたりすることによりソフトタイマとして機能させることができる。
【００４２】
図５は本実施例の冷却装置ＣＳの動作制御フローチャートである。下記の動作制御は制御手段としての制御回路２００により実行される。制御回路２００にプリントジョブ開始信号が入力されると、制御回路２００は定着器温度センサＴＨの検知結果を取得する（Ｓ１０１）。ユーザーが選択した紙種に適した定着器温度であるか否かに応じて、制御回路２００はファン５０をＯＮするか、ファン５０のＯＮ／ＯＦＦ状態を確認する制御をする（Ｓ１０２）。
【００４３】
具体的には、検知された定着器温度が、紙種毎に所定の温度以上である場合（Ｓ１０２：ｙｅｓ）には、制御回路２００はファン５０をＯＮする（Ｓ１０３）。この時、弁５２は図２の（ｃ）、図３の（ａ）〜（ｃ）に示す第１の切り換え位置状態であり、ファン５０からの風が定着器側通気経路５１１を経由して定着器Ｆへ送られる。その後、検知された定着器温度が、紙種毎に所定の温度未満の判定がされる（Ｓ１０２：ｎｏ）まで、上記Ｓ１０１〜Ｓ１０３の処理を継続実行する。
【００４４】
続いて、検知された定着器温度が、紙種毎に所定の温度未満の判定がされる（Ｓ１０２：ｎｏ）と、制御回路２００はファン５０がＯＦＦ状態か否かによって、ソレノイド５３をＯＮするか、ファン５０をＯＦＦして２秒待つかの制御をする（Ｓ１０４）。
【００４５】
具体的には、制御回路２００は、ファン５０がＯＮ状態の場合（Ｓ１０４：ｎｏ）にはファン５０をＯＦＦして２秒待ってから（Ｓ１０５）、ソレノイド５３をＯＮする（Ｓ１０６）。逆に、ファン５０がＯＦＦ状態の場合（Ｓ１０４：ｙｅｓ）には、そのままソレノイド５３をＯＮする（Ｓ１０６）。この時、弁５２は図２の（ｄ）、図３の（ｄ）〜（ｆ）に示す第２の切り換え位置状態である。
【００４６】
ここで、ソレノイド５３をＯＮする前にファン５０がＯＦＦである状態にした理由を説明する。それは、ファン５０がＯＮしている状態では、弁５２はファン５０から受ける風圧によって動作できない構成にしているからである。また、ファン５０をＯＦＦしてから２秒待つ理由は、確実に弁５２が動作できる風圧状態にするためである。風圧に打ち勝って弁５２を動作させるには、より強力なアクチュエータを選択する必要があり、より高強度な動作部品構成にする必要があるため、部品コストが高くなってしまう。そこで本実施例においては、部品コストを低減する目的で上記構成としている。
【００４７】
さて、制御回路２００は、ソレノイド５３をＯＮした（Ｓ１０６）後、ファン５０をＯＮし（Ｓ１０７）、プリントを開始する（Ｓ１０８）。この時、弁５２は図２の（ｄ）、図３の（ｄ）〜（ｆ）に示す第２の切り換え位置状態であり、ファン５０からの風が記録材側通気経路５１２を経由して定着後の記録材へ送られて、定着器Ｆを出た記録材の冷却がなされる。
【００４８】
また、制御回路２００は、ファン５０をＯＮした（Ｓ１０７）時間から２秒後にソレノイド５３をＯＦＦする（Ｓ１０９）。この時、弁５２は図２の（ｄ）、図３の（ｄ）〜（ｆ）に示す第２の切り換え位置状態を維持している。それは、弁５２がプランジャー５３Ｐの自重や引っ張りばね５５から受けて発生する、正面から見て反時計回りの回転モーメントよりも、ファン５０からの風圧を受けて発生する、正面から見て時計回りの回転モーメントの方が大きいためである。
【００４９】
その後、制御回路２００は、所定のプリントジョブを終了して（Ｓ１１０）、ファン５０をＯＦＦし（Ｓ１１１）、制御を終了する。ファン５０がＯＦＦされると、弁５２がファン５０から受ける風圧は小さくなる。そして、弁５２がプランジャー５３Ｐの自重や引っ張りばね５５から受けて発生する、正面から見て反時計回りの回転モーメントの方が、ファン５０からの風圧を受けて発生する、正面から見て時計回りの回転モーメントよりも大きくなる。その時点で、弁５２は第２の切り換え位置状態から第１の切り換え位置状態に自然に変わる。
【００５０】
上記の弁５２の動作をまとめると次のとおりである。弁５２はソレノイド５３とばね５５により動かされる。ソレノイド５３への通電によりばね５５の弾性力に抗して弁５２が定着器側通気経路５１１への送風可能状態から記録材側通気経路５１２への送風可能状態へと変化する。その後にソレノイド５３への通電が止められても、ファン５０による風圧で記録材側通気経路５１２が確保された状態が維持される。
【００５１】
そして、ソレノイド５３への通電がなく、ファン５０による風圧で弁５２が記録材側通気経路５１２を確保している状態からファン５０による送風が止められる。そうすると、弁５２が記録材側通気経路５１２への送風可能状態から定着器側通気経路５１１への送風可能状態へと変化する。
【００５２】
以上の制御により、ファン５０から定着器Ｆへの定着器側通気経路５１１と、定着後の記録材への記録材側通気経路５１２とを切り換えることで、１つのファン５０からでも定着器Ｆと、定着後の記録材とを冷却できるようになっている。したがって、定着器と定着後の記録材とをそれぞれ別のファンで冷却する場合に比べて、少なくともファン１個を削減することができる。その結果、画像形成装置を小型化することができる。
【００５３】
尚、本実施例では、定着器Ｆを冷却しているとき以外に、
ａ：画像形成装置のスタンバイ状態（プリントジョブ開始信号の入力待ち状態）
ｂ：画像形成装置の電源をＯＦＦしている状態
ｃ：停電やコンセント抜け等、定着後の記録材Ｐを冷却している時に急に画像形成装置に電力が供給されなくなった後の状態
においても、弁５２は図２の（ｃ）、図３の（ａ）〜（ｃ）に示す第１の切り換え位置状態になる。
【００５４】
即ち、定着器側通気経路５１１がファン５０から定着器Ｆまで連通した通気経路を確保した状態になるように構成している。更に、ファン５０は定着器側通気経路５１１よりも高い位置に配置されている。この目的は、定着器Ｆから放出される余分な熱が、より早く画像形成装置外に放出されるようにすることである。余分な熱が画像形成装置内に留まりやすい状態では、例えばトナーを温めてしまうことにより流動性を低化させ、トナー搬送不良を引き起こす要因になり得る。
【００５５】
ファン５０が定着器側通気経路５１１よりも高い位置に配置され、定着器側通気経路５１１がファン５０から定着器Ｆまで連通した通気経路を確保した状態である。そのため、定着器Ｆから放出される余分な熱は定着器側通気経路５１１を通ってファン５０から冷却装置ＣＳの外に放出されやすくなっている。
【００５６】
［実施例２］
本実施例２について説明する。尚、実施例１と同一の構成については同一符号を付すことにより重複する説明は適宜省略する。実施例１においては，ファン５０から、直接外気（画像形成装置の外側の空気）を吸引でき、また画像形成装置内の余分な熱を直接放出できる構成にしている。しかし、ファン５０が画像形成装置の外に近い配置の場合、ファン５０が回転する騒音が大きく聞こえる。
【００５７】
そこで本実施例では、ファン５０を画像形成装置本体の内部に配置する構成にした。図６の（ａ）は本実施例における冷却装置ＣＳの左側面図、（ｂ）は正面図である。外ダクト５６は画像形成装置本体外に開口した開口部５７を持つ。即ち、画像形成装置の外への開口部５７と、ファン５０から開口部５７へ連通する第３の通気経路としての外ダクト５６を有する。
【００５８】
そして、開口部５７は、定着器側通気経路５１１やファン５０よりも高い位置に配置され、外ダクト５６と同じか、より高い位置に配置されている。即ち、開口部５７の、画像形成装置の内部における配置位置は、定着器側通気経路５１１および外ダクト５６と同じ高さの位置か、定着器側通気経路５１１および外ダクト５６よりも高い位置である。
【００５９】
よって、
ａ：画像形成装置がスタンバイ状態
ｂ：画像形成装置の電源をＯＦＦしている状態
ｃ：停電やコンセント抜け等、定着後の記録材Ｐを冷却している時に急に画像形成装置に電力が供給されなくなった後の状態
において、定着器Ｆから放出される余分な熱が、定着器側通気経路５１１やファン５０、外ダクト５６の内部に留まりにくく、開口部５７から放出されやすい構成になっている。また、実施例１と同様な効果を得ることができ、ファン５０による騒音も低減できる。
【００６０】
［実施例３］
本実施例３において、画像形成装置は実施例１の画像形成装置１００（図１）と同様であるから再度の説明を省略する。本実施例においては、定着器Ｆは、図１０〜図１４のように加熱定着部材と加圧部材としてエンドレスベルト部材Ｂ１・Ｂ２を用いたベルト式・電磁誘導加熱式（ＩＨ）の熱定着装置である。この定着器自体は公知に属するからその説明は省略する。冷却装置ＣＳについては実施例１の冷却装置ＣＳと共通する構成部材・部分には同じ符号を付して再度の説明を省略する。
【００６１】
図７は本実施例３における冷却装置ＣＳと定着器Ｆの接続状態を示した鳥瞰図であり、（ａ）は定着器Ｆの側から見た図、（ｂ）は冷却装置ＣＳの側から見た図である。図８は冷却装置ＣＳを示す図であり、（ａ）は定着器側通気経路（第１の通気経路）５１１の送風出口側を見た図、（ｂ）は記録材側通気経路（第２の通気経路）５１２の送風出口側を見た図、（ｃ）は左側面図、（ｄ）は正面図である。図８においては、弁切替機構ＣＵと冷却ファン５０と弁位置検知センサ６０を示している。弁位置検知センサ６０は、弁５２の位置を検知する検知手段である。
【００６２】
図９は弁切替機構ＣＵの動作を示す図である。（ａ）、（ｂ）、（ｃ）、（ｇ）は弁５２が第１の切り換え位置に位置している状態時（定着器Ｆを冷却したい時）の、背面図、左側面図、正面図、斜視図である。（ｄ）、（ｅ）、（ｆ）、（ｈ）は弁５２が第２の切り換え位置に位置している状態時（記録材Ｐを冷却したい時）の、背面図、左側面図、正面図、斜視図である。
【００６３】
冷却装置ＣＳの構成は実施例１の冷却装置ＣＳと同様に、ファン（送風手段）５０、ダクト（通風路）５１、弁５２、ソレノイド５３、アーム５４、引っ張りばね５５、などから構成されている。ファン５０は駆動されることでダクト５１内に送風する。そして、ダクト５１は内部に隔壁により区画されている定着器側通気経路（第１の通気経路）５１１と記録材側通気経路（第２の通気経路）５１２とを備えている。
【００６４】
弁５２の動作も実施例１の冷却装置ＣＳと同様であり、図９の（ａ）、（ｂ）、（ｃ）は図３の（ａ）、（ｂ）、（ｃ）に対応しており、図９の（ｄ）、（ｅ）、（ｆ）は図３の（ｄ）、（ｅ）、（ｆ）に対応している。
【００６５】
本実施例の冷却装置ＣＳにおいては、弁５２が図９の（ａ）、（ｂ）、（ｃ）のように第１の切り換え位置に位置している状態時には、図９の（ｇ）に示すように、弁５２の一端にある弁位置判断部５２Ｆは弁位置検知センサ６０を透過した状態となる。また、弁５２が図９の（ｄ）、（ｅ）、（ｆ）のように第２の切り換え位置に位置している状態時には、図９の（ｈ）に示すように、弁５２の一端にある弁位置判断部５２Ｆは弁位置検知センサ６０を遮光した状態となる。
【００６６】
図１０は弁５２が第１の切り換え位置に位置している状態時、図１１は弁５２が第２の切り換え位置に位置している状態時を示している。図１２は弁５２が第２の切り換え位置に位置しており、ファン５０がＯＮにされていて、ファン５０からの風が記録材側通気経路５１２を経由して定着後の記録材Ｐへ送られて、定着器Ｆを出た記録材Ｐの冷却がなされる状態時を示している。Ｐ１はシートパスｃにおける記録材搬送ガイド（定着後の記録材Ｐの搬送ガイド）である。
【００６７】
図１３は弁５２が第１の切り換え位置に位置しており、ファン５０がＯＮにされていて、ファン５０からの風が定着器側通気経路５１１を経由して定着器Ｆへ送られている状態時を示している。Ｆ１は定着器Ｆの通気口Ｆ１であり、この通気口Ｆ１を介して定着器側通気経路５１１と定着器Ｆとが連結している。
【００６８】
また、図１４は弁５２が第１の切り換え位置に位置しており、ファン５０がＯＦＦにされていて、定着器Ｆから放出される余分な熱が定着器側通気経路５１１を通ってファン５０から冷却装置ＣＳの外に放出される様子を示している。
【００６９】
本実施例における冷却装置ＣＳの動作制御について説明する。図１５は本実施例の画像形成装置と制御回路２００の接続関係を説明するためのブロック図である。画像形成装置１００には定着器温度を検知する検知手段としての定着器温度センサＴＨと、前述の弁位置検知センサ６０とソレノイド５３、冷却ファン５０とを備える。定着器温度センサＴＨと弁位置検知センサ６０の検知結果は制御手段としての制御回路２００へ通知される。
【００７０】
制御回路２００の内部には中央演算回路２０１（以下ＣＰＵ）と、メモリ２０２を備える。ＣＰＵ２０１はメモリ２０２に格納されたプログラムに従い、定着器温度センサＴＨと弁位置検知センサ６０の出力に基づき、ソレノイド５３、冷却ファン５０を制御する。尚、ＣＰＵ２０１はメモリ２０２に制御時間を記録させたりすることによりソフトタイマとして機能させることができる。
【００７１】
図１６Ａと図１６Ｂは本実施例における冷却装置ＣＳの動作制御フローチャートである。下記の動作制御は制御手段としての制御回路２００により実行される。
【００７２】
【表１】
0005921319.tif 000002
【００７３】
画像形成装置１００の待機中（プリントジョブ開始信号の入力待ち状態）は定着器Ｆは表１に示すように普通紙対応温度１８０℃に保たれている。この状態において、例えば普通紙５枚と薄紙５枚の複合プリントジョブ開始信号が入力されると、制御回路２００はソレノイド５３をＯＮし（Ｓ２０１）、その動作が完了したかを弁位置検知センサ６０で確認する（Ｓ２０２、Ｓ２０３）。
【００７４】
弁５２が記録材側（第２の切り換え位置:用紙冷却側）に向いていたら用紙冷却動作をする為に冷却ファン５０をＯＮし（Ｓ２０４）、Ｓ２０４の２秒後にソレノイド５３をＯＦＦする（Ｓ２０５）。この時、弁５２は図１２に示す第２の切り換え位置状態を維持している。
【００７５】
それは、弁５２がプランジャー５３Ｐの自重や引っ張りばね５５から受けて発生する、正面から見て反時計回りの回転モーメントよりも、ファン５０からの風圧を受けて発生する、正面から見て時計回りの回転モーメントの方が大きい為である。
【００７６】
普通紙５枚印刷後、薄紙５枚印刷を行うが、紙種により定着器Ｆの温調温度が違う為、定着器温度センサＴＨで温度確認し（Ｓ２０６）、目標温度よりも高い場合には冷却動作が必要になる（Ｓ２０７）。
【００７７】
弁５２を記録材側通気経路（第２の通気経路）５１２側から定着器側通気経路（第１の通気経路）５１１側へ切り換えるには、冷却ファン５０の風圧によって弁５２が保持されているので、冷却ファン５０をＯＦＦする（Ｓ２０８）。冷却ファン５０の風圧が低下し、引っ張りばね５５による回転モーメントが冷却ファン５０の風圧に勝った時点で弁５２は定着器側通気経路５１１側に移動するので、その動作を弁位置検知センサ６０で確認する（Ｓ２０９）。
【００７８】
定着器側通気経路５１１が確保されたら（Ｓ２１０）、冷却ファン５０を再びＯＮし（Ｓ２１１）、定着器Ｆを冷却する。定着器温度センサＴＨで所定の温度に達しているかを確認し（Ｓ２１２）、所定の温度に達していれば冷却ファン５０をＯＦＦし（Ｓ２１３）定着器Ｆの冷却動作が完了する。
【００７９】
弁位置検知センサ６０を使用し、上記の動作制御を行う事により、使用しない場合に対し３〜５秒程時間の短縮が可能になる。風圧により弁位置が維持される構成では、風圧が弱まって初めて弁が切り換わる。しかし、弁位置検知手段を用いず「冷却ファンＯＦＦ命令→風圧弱まる→弁位置切り換わる→冷却ファンＯＮ命令」動作が完了させるには冷却ファン・印加電圧・引っ張りばね定数などのバラツキ要因と更にある程度の動作余裕を鑑みる必要がある。そのため、実動作以上に切り換え時間が長くなる。
【００８０】
本構成と制御によれば、機体や各種条件のバラツキを考慮する必要がなく、余計な待機時間を設けずに弁５２を切り換え可能となる。
【００８１】
尚、本実施例では、定着器Ｆを冷却しているとき以外に、
ａ：画像形成装置がスタンバイ状態（プリントジョブ開始信号の入力待ち状態）
ｂ：画像形成装置の電源をＯＦＦしている状態
ｃ：停電やコンセント抜け等、定着後の記録材Ｐを冷却している時に急に画像形成装置に電力が供給されなくなった後の状態
においても、弁５２は図１０に示す第１の切り換え位置状態、すなわち、引っ張りばね５５の付勢力により冷却ファン５０から定着器側通気経路５１１と通気口Ｆ１を介し定着器Ｆまで連通した通気経路を確保した状態になるように構成している。
【００８２】
更に、冷却ファン５０は定着器側通気経路５１１よりも高い位置に配置されている。この目的は、図１４に示すように定着器Ｆから放出される余分な熱が、より早く画像形成装置外に放出されるようにすることである。余分な熱が画像形成装置内に留まりやすい状態では、例えばトナーを温めてしまうことにより流動性を低化させ、トナー搬送不良を引き起こす要因になり得る。
【００８３】
冷却ファン５０が定着器側通気経路５１１よりも高い位置に配置され、定着器側通気経路５１１が冷却ファン５０から定着器Ｆまで連通した通気経路を確保した状態である。そのため、定着器Ｆから放出される余分な熱は、煙突効果により定着器側通気経路５１１を通って冷却ファン５０から冷却装置ＣＳの外に放出されやすくなっている。２ポジションソレノイドやモーター等により弁５２を制御する構成では磁力により弁５２が保持されてしまうので非通電時に定着器側通気経路５１１を確保出来ない場合がある。
【００８４】
また、前述とは逆で薄紙５枚と普通紙５の複合プリントジョブが投入された場合の動作説明を図１７の動作制御フローチャートを用いて行う。画像形成装置の待機中に定着器Ｆは表１に示すように普通紙対応温度１８０℃に保たれている。そこで、薄紙対応かどうか定着器温度センサＴＨを確認する（Ｓ３０１、Ｓ３０２）。所定以上の場合は定着器Ｆの冷却を行う為、冷却ファン５０をＯＮする（Ｓ３０３、図１３の状態）。定着器温度センサＴＨを確認し（Ｓ３０４）、所定温度まで下がった事を確認する。
【００８５】
所定温度以下の場合（Ｓ３０５）、冷却ファン５０に停止命令を出し（Ｓ３０６）、ソレノイド５３をＯＮする（Ｓ３０７）。ソレイノド５３のよる吸引力が冷却ファン５０の風圧に勝った時点で弁位置が変わり、図１１のように第２の切り換え位置状態となる。弁位置検知センサ６０により、図１１の状態を確認したら（Ｓ３０８、Ｓ３０９）、冷却ファン５０をＯＮし（Ｓ３１０）、冷却ファン５０による風圧が安定するまで２秒待ち、ソレノイド５３をＯＦＦする（Ｓ３１１）。
【００８６】
上記の弁５２の動作をまとめると次のとおりである。制御回路２００は次のような制御モードを有する。弁５２が記録材側通気経路５１２への送風可能状態から定着器側通気経路５１１への送風可能状態へと切り換えられる際、ファン５０による送風の停止命令を出す。そして、ばね５５の付勢力により弁５２が定着器側通気経路５１１への送風可能状態に切り換わったことを弁位置検知センサ６０で確認後、ファン５０による送風の開始命令を出して定着器側通気経路５１１に対する送風を開始する制御モードを有する。
【００８７】
以上より、ファン５０から定着器Ｆへの定着器側通気経路５１１と、定着後の記録材Ｐへの記録材側通気経路５１２とを切り換えることで、１つのファンからでも定着器Ｆと、定着後の記録材Ｐとを冷却できるようになっている。したがって、定着器Ｆと定着後の記録材Ｐとをそれぞれ別のファンで冷却する場合に比べて、少なくともファン１個を削減することができる。その結果、画像形成装置を小型化することが出来る。
【００８８】
非通電時、弁５２が引っ張りばね５５の付勢力により定着器Ｆから定着器側通気経路５１１と冷却ファン５０が連通された状態が確保される。この事により、メインスイッチＯＦＦや停電などの電力供給が遮断された際でも、定着器Ｆの余熱が定着器側通気経路５１１と冷却ファン５０と煙突効果を利用し排熱され、画像形成装置１００内の温度上昇を抑える事が出来る。
【００８９】
冷却ファン５０の風圧によって通気経路を維持する切り換え弁構成において、弁位置検知センサ６０を用い冷却ファン５０のＯＮ／ＯＦＦ制御を行うことで弁５２の切り換え動作時間を最小にする事が出来る。
【００９０】
［実施例４］
以下に本実施例４について説明する。尚、実施例３と同一の構成については同一符号を付すことにより重複する説明は適宜省略する。
【００９１】
実施例３においては弁位置判断部５２Ｆを弁位置検知センサ６０で検知し、定着器側通気経路５１１か記録材側通気経路５１２かの判断を行っていた。これに対して、弁５２が切り換わる途中の状態を検知すれば、更に冷却ファン５０をＯＮするタイミングを前倒し出来、切り換え時間の短縮につながる。
【００９２】
図１８を用い具体的に説明する。図１８は後述の第３の切り換え位置における弁切替機構ＣＵを示している。実施例３との差異は弁位置検知部５２Ｆにスリット５２ＦＳを設定している。このスリット５２ＦＳは弁５２が定着器側通気経路５１１（第１の切り換え位置）と記録材側通気経路５１２（第２の切り換え位置）の中間地点（第３の切り換え位置）にある時（図１９）に弁位置検知センサ６０のセンサ光を透過可能な位置にある。
【００９３】
弁５２を定着器側通気経路５１１から記録材側通気経路５１２へばね５５の付勢力によって切り換える途中の状態で、第３の切り換え位置以降の弁５２は記録材側通気経路５１２へ傾いた状態となる。その状態で冷却ファン５０の風圧を受けると記録材側通気経路５１２へ切り換える動作をアシストする事になる。
【００９４】
図２０はこの切り換え動作中の弁位置検知センサ６０の出力波形を示したものである。図２１はこの動作を示したフローチャートである。図１６Ａ、図１６Ｂのフローチャートとの差異は、Ｓ２１０とＳ４１０の弁５２の位置判断を第３の切り換え位置でするか否かである。
【００９５】
上記の弁５２の動作をまとめると次のとおりである。制御回路２００は次のような制御モードを有する。弁位置検知センサ６０は次の第１から第３の３つの弁位置を検出可能である。第１の切り換え位置は弁５２が定着器側通気経路５１１への送風可能状態となる位置である。第２の切り換え位置は記録材側通気経路５１２への送風可能状態となる位置である。第３の切り換え位置は第１と第２の切り換え位置との間の途中の位置で弁５２が風圧によりばね５５の付勢力がアシストされる位置である。
【００９６】
弁５２が記録材側通気経路５１２への送風可能状態から定着器側通気経路５１１への送風可能状態へと切り換えられる際、ファン５０による送風の停止命令を出す。そして、ばね５５の付勢力により弁５２が第３の切り換え位置にあることを弁位置検知センサ６０で確認後、ファン５０による送風の開始命令を出して定着器側通気経路５１１に対する送風を開始する制御モードを有する。
【００９７】
弁５２が定着器側通気経路５１１から記録材側通気経路５１２へ切り換わる途中の位置を検知する。そして、その検知を持って冷却ファン５０をＯＮする事により、記録材側通気経路５１２へ切り換わった後に冷却ファン５０をＯＮする場合より切り換え動作時間を短縮可能となる。
【００９８】
［その他の事項］
１）実施例の画像形成装置１００はインライン方式として第１乃至第４の４つの画像形成ステーションを配設したものであるけれども、色数は４色に限定されるものではなく、また色の並び順もこの限りではない。即ち、画像形成ステーションの数は２または３、あるいは５以上とした画像形成装置構成とすることもできる。またモノカラー画像形成装置として画像形成ステーションが１つである画像形成装置構成とすることもできる。
【００９９】
２）画像形成装置の画像形成プロセスは電子写真画像形成プロセスに限られない。像担持体として静電記録誘電体を用いた静電記録画像形成プロセス、像担持体として磁気記録磁性体を用いた磁気記録画像形成プロセスなどであってもよい。
【０１００】
３）画像加熱装置としての熱定着装置は実施例のヒートローラ方式やベルト方式の装置に限られない。定着部材や加圧部材の加熱方式も各種の方式のものにすることができる。
【０１０１】
４）実施例は、画像処理装置として、記録材に未定着の画像を形成する画像形成手段と、記録材に形成された前記画像を加熱定着する画像加熱装置と、を有する加熱定着方式の画像形成装置を示したけれども、本発明の画像処理装置は画像形成装置に限られない。既に加熱定着されている画像を担持した記録材を画像加熱装置に導入して画像の光沢度などの表面性を改質する画像改質装置であってもよい。
【符号の説明】
【０１０２】
Ｐ・・記録材、１００・・画像処理装置、Ｆ・・画像加熱装置、５０・・送風手段、５１１・・第１の通気経路、５１２・・第２の通気経路、５２・・通気経路を切り換える弁
【図１】
0005921319.tif 000003
【図２】
0005921319.tif 000004
【図３】
0005921319.tif 000005
【図４】
0005921319.tif 000006
【図５】
0005921319.tif 000007
【図６】
0005921319.tif 000008
【図７】
0005921319.tif 000009
【図８】
0005921319.tif 000010
【図９】
0005921319.tif 000011
【図１０】
0005921319.tif 000012
【図１１】
0005921319.tif 000013
【図１２】
0005921319.tif 000014
【図１３】
0005921319.tif 000015
【図１４】
0005921319.tif 000016
【図１５】
0005921319.tif 000017
【図１６Ａ】
0005921319.tif 000018
【図１６Ｂ】
0005921319.tif 000019
【図１７】
0005921319.tif 000020
【図１８】
0005921319.tif 000021
【図１９】
0005921319.tif 000022
【図２０】
0005921319.tif 000023
【図２１】
0005921319.tif 000024